(57)【要約】【課題】包装袋へのスライダの装着性を向上させるとともに、咬合状態におけるジッパーテープの密封性を確保可能なスライダ、このスライダが装着されるスライダ用ジッパーテープ、及びスライダ付き包装袋を提供する。【解決手段】ジッパーテープ４０Ａに装着され、テープ長手方向に沿って移動させることにより包装袋１００Ａの口部１１０を開閉させるスライダ１０Ａであって、ジッパーテープ４０Ａには、テープ長手方向に沿ったスライダ１０Ａの移動を案内するガイド条部２３，３３が形成され、スライダ１０Ａは、ガイド条部２３，３３に係合する被ガイド部１２ａ，１２ｂを備え、ガイド条部２３，３３と被ガイド部１２ａ，１２ｂは、相互に引っ掛かり係合可能な鉤状断面形状を有し、スライダ１０Ａのテープ長手方向に沿った移動が、被ガイド部１２ａ，１２ｂとガイド条部２３，３３との係合状態で行われる構成としてある。【選択図】図１
2013146462.tif 000002
【特許請求の範囲】
【請求項１】
相互に咬み合う咬合部を備えたジッパーテープに装着され、前記咬合部を挟持可能な対向面を有するとともにテープ長手方向に沿って移動させることにより前記咬合部の咬合及び咬合解除を行うスライダであって、
前記ジッパーテープには、テープ長手方向に沿った前記スライダの移動を案内するガイド条部が形成され、
前記スライダは、前記ガイド条部に係合する被ガイド部を備え、
前記ガイド条部と前記被ガイド部は、相互に引っ掛かり係合可能な鉤状断面形状を有し、
前記スライダのテープ長手方向に沿った移動が、前記被ガイド部と前記ガイド条部との係合状態で行われる
ことを特徴とするスライダ。
【請求項２】
前記ガイド条部と前記被ガイド部は、前記鉤状断面形状として、いずれか一方が雄部となるとともに他方が雌部となり相互に引っ掛かり係合可能な雄雌断面形状を有する
ことを特徴とする請求項１記載のスライダ。
【請求項３】
前記ジッパーテープのテープ外側面に形成された前記ガイド条部に対して、前記被ガイド部を前記テープ外側面に対向する前記対向面に形成した
ことを特徴とする請求項１又は２記載のスライダ。
【請求項４】
前記スライダは、その長手方向の一方の下端部に、切り欠き部を有する
ことを特徴とする請求項１〜３のいずれか一項に記載のスライダ。
【請求項５】
相互に咬み合う咬合部を備え、前記咬合部を挟持可能な対向面を有するとともにテープ長手方向に沿って移動させることにより前記咬合部の咬合及び咬合解除を行うスライダが装着されるスライダ用のジッパーテープであって、
前記ジッパーテープは、テープ長手方向に沿った前記スライダの移動を案内するガイド条部を備え、
前記スライダには、前記ガイド条部に係合する被ガイド部が設けられ、
前記ガイド条部と前記被ガイド部は、相互に引っ掛かり係合可能な鉤状断面形状を有し、
前記スライダのテープ長手方向に沿った移動が、前記被ガイド部と前記ガイド条部との係合状態で行われる
ことを特徴とするスライダ用ジッパーテープ。
【請求項６】
前記ガイド条部と前記被ガイド部は、前記鉤状断面形状として、いずれか一方が雄部となるとともに他方が雌部となり相互に引っ掛かり係合可能な雄雌断面形状を有する
ことを特徴とする請求項５記載のスライダ用ジッパーテープ。
【請求項７】
前記ガイド条部を、前記ジッパーテープのテープ外側面に形成し、
前記被ガイド部を、前記テープ外側面に対向する前記対向面に形成した
ことを特徴とする請求項５又は６記載のスライダ用ジッパーテープ。
【請求項８】
請求項１〜４のいずれか一項に記載のスライダを装着した請求項５〜７のいずれか一項に記載のスライダ用ジッパーテープを、その口部に取り付けたことを特徴とするスライダ付き包装袋。
【発明の詳細な説明】
【技術分野】
【０００１】
本発明は、スライダ、スライダ用ジッパーテープ、及びスライダ付き包装袋に関し、特に、包装袋への装着性を向上させたスライダ、スライダ用ジッパーテープ及びスライダ付き包装袋に関する。
【背景技術】
【０００２】
従来から、食品等の内容物を収納する容器として、スライダ付き包装袋がある。
このような包装袋は、スライダの往復移動に応じてジッパーが咬合状態又は咬合解除状態となることで、包装袋の口部を閉口又は開口させることができるようになっている。
【０００３】
ここで、一般的なスライダ付き包装袋の構造について説明する。
図４に示す断面図のように、ジッパーテープ４０は、相互に咬み合う一対の咬合部４２を備える雄側テープ２０と雌側テープ３０とで構成され、包装袋１００ａを構成するフィルム１０１の内面に融着されている。スライダ１０は、ジッパーテープ４０の咬合部４２を挟持可能な対向面を有する操作片として構成され、スライダ１０のテープ長手方向に沿った移動に伴って咬合部４２が咬合又は咬合解除されることで、包装袋１００ａの口部を閉口又は開口させることができるようになっている。
このような基本的な構成に加え、スライダ１０には、包装袋１００ａからのスライダ１０の脱落を防止する脱落防止機構が設けられている。
【０００４】
脱落防止機構として、例えば、雄側テープ２０と雌側テープ３０に形成された凸条２４，３４の間隔よりも、スライダ１０に形成された凸部１５ａ，１５ｂの間隔を狭く形成したものがある。
このような脱落防止機構により、スライダ１０を図中上方に引抜こうとしても、凸部１５ａ，１５ｂが凸条２４，３４に引っ掛かることで、スライダの脱落が防止されるようになっている。
【０００５】
ところが、この脱落防止機構は、スライダ付き包装袋を製造する製造工程において、包装袋へのスライダの装着を阻害することになる。
すなわち、スライダの装着工程において、脱落防止機構に逆らってスライダ内に包装袋の口部を無理やり押し込む、押し込み操作を強いることになる。
このような押し込み操作は、物理的な形状の大小関係を無視したもので、塑性変形を生じさせるような過度な外力をスライダと包装袋の口部に作用させる操作となり、製造効率を低下させることになる。
【０００６】
これに対して、過度の押し込み操作を要しないスライダ付き包装袋が提案されている（例えば、特許文献１）。
このスライダは、複数（３つ）のファスナ部材とスライド可能に係合するように構成され、一部のファスナ部材に対して押し込み操作を要するものの、比較的簡単に装着できるようになっている。
【先行技術文献】
【特許文献】
【０００７】
【特許文献１】特開２００７−３２５７５１号
【発明の概要】
【発明が解決しようとする課題】
【０００８】
しかしながら、特許文献１記載のスライダ付き包装袋は、複数のファスナ部材との係合が必要とされ、煩雑な取り付け作業を強いることになるうえ、ファスナ部材がスライダの移動を案内する機能を兼ねることから、閉口状態（ファスナ部材の咬合状態）における密封性がスライダの存在によって妨げられるという問題があった。
【０００９】
本発明は、上記の事情にかんがみなされたものであり、咬合状態における密封性を確保しながら、簡易な嵌め合い作業のみで包装袋の口部への装着が可能なスライダ、スライダ用ジッパーテープ、及びスライダ付き包装袋を提供する。
【課題を解決するための手段】
【００１０】
上記目的を達成するため本発明のスライダは、相互に咬み合う咬合部を備えたジッパーテープに装着され、前記咬合部を挟持可能な対向面を有するとともにテープ長手方向に沿って移動させることにより前記咬合部の咬合及び咬合解除を行うスライダであって、前記ジッパーテープには、テープ長手方向に沿った前記スライダの移動を案内するガイド条部が形成され、前記スライダは、前記ガイド条部に係合する被ガイド部を備え、前記ガイド条部と前記被ガイド部は、相互に引っ掛かり係合可能な鉤状断面形状を有し、前記スライダのテープ長手方向に沿った移動が、前記被ガイド部と前記ガイド条部との係合状態で行われる構成としてある。
【００１１】
また、本発明のスライダ用ジッパーテープは、相互に咬み合う咬合部を備え、前記咬合部を挟持可能な対向面を有するとともにテープ長手方向に沿って移動させることにより前記咬合部の咬合及び咬合解除を行うスライダが装着されるスライダ用のジッパーテープであって、前記ジッパーテープは、テープ長手方向に沿った前記スライダの移動を案内するガイド条部を備え、前記スライダには、前記ガイド条部に係合する被ガイド部が設けられ、前記ガイド条部と前記被ガイド部は、相互に引っ掛かり係合可能な鉤状断面形状を有し、前記スライダのテープ長手方向に沿った移動が、前記被ガイド部と前記ガイド条部との係合状態で行われる構成としてある。
【００１２】
また、本発明の包装袋は、所定の内容物を収納可能な包装袋であって、上記スライダを装着した上記スライダ用ジッパーテープを、その口部に取り付けた構成としてある。
【発明の効果】
【００１３】
以上のように、本発明によれば、相互に引っ掛かり係合可能な鉤状断面形状を有するガイド条部と被ガイド部との係合によりスライダを包装袋に装着させるので、簡易な嵌め合い作業のみでスライダを包装袋に装着できるだけでなく、咬合部とは別に脱落防止機構となるガイド条部を設けることで、咬合状態における密封性を確保することができる。
【図面の簡単な説明】
【００１４】
【図１】本発明の一実施形態に係るスライダ付き包装袋の斜視図である。
【図２】図（ａ）は、本発明の一実施形態に係るスライダ付き包装袋の要部断面図であり、図（ｂ）は、本発明の一実施形態に係るスライダの斜視図である。
【図３】図（ａ）は、本発明の変形実施形態に係るスライダ付き包装袋の要部断面図であり、図（ｂ）は、本発明の変形実施形態に係るスライダの斜視図である。
【図４】従来のスライダ付き包装袋の断面図である。
【発明を実施するための形態】
【００１５】
以下、本発明の実施形態について、図１〜図３を参照しながら説明する。
これらの図に示すように、本実施形態に係る包装袋１００Ａ，１００Ｂは、それぞれジッパーテープ４０Ａ，４０Ｂを、その口部１１０に熱プレス等により融着させた袋体として構成されており、この口部１１０に融着させたジッパーテープ４０Ａ，４０Ｂにはスライダ１０Ａ，１０Ｂが装着されている。
【００１６】
この口部１１０に装着されたスライダ１０Ａ，１０Ｂとジッパーテープ４０Ａ，４０Ｂが、本発明に係る特徴的な構成を備えており、スライダ１０Ａ，１０Ｂの移動に応じて口部１１０を開閉させるというスライダ付き包装袋としての基本的な機能を発揮しつつも、包装袋１００Ａ，１００Ｂの口部１１０へのスライダ１０Ａ，１０Ｂの装着性を向上させるようになっている。
最初に、図１及び図２を参照しながら、スライダ１０Ａとジッパーテープ４０Ａについて説明する。
【００１７】
ジッパーテープ４０Ａは、雄側テープ２０Ａ及び雌側テープ３０Ａからなり、これらのテープが包装袋１００Ａの口部１１０において、包装袋１００Ａを構成するフィルム１０１の内面に融着されている。
【００１８】
雄側テープ２０Ａ及び雌側テープ３０Ａは、ベースとなる断面略矩形状のテープ基部２１，３１をそれぞれ備え、各テープ基部２１，３１のフィルム１０１への融着側とは反対側には、テープ長手方向に沿って形成された雄部２２，雌部３２を有している。
これらの雄部２２と雌部３２とが咬合部４２となり、図２に示すような雄雌咬合状態となることで、包装袋１００Ａの口部１１０が袋内の内容物を取り出し不能に閉口される。また、雄部２２と雌部３２とが離間した咬合解除状態となることで、包装袋１００Ａの口部１１０が内容物を取り出し可能に開口されることになる。
【００１９】
スライダ１０Ａは、テープ長手方向に沿って往復移動させることで上記の咬合状態又は咬合解除状態のいずれかの状態に操作するための操作片である。
スライダ１０Ａは、逆Ｕ字状の断面形状を有するスライダ本体１１からなり、咬合部４２を挟持可能な対向面として機能する本体側面１１ｂ，１１ｃと、本体側面１１ｂ，１１ｃを上方にて連結させる本体上面１１ａと、を備え、咬合部４２を挟持可能な形状を有している。
また、スライダ１０Ａの本体側面１１ｂ，１１ｃの下端部には、スライダ本体１１の長手方向における一方の端部に、咬合部４２の嵌合を容易にするための幅狭部１１ｄと、前記一方の端部と反対側の端部に嵌合部４２の嵌合解除を容易にするための切り欠き部１１ｅが形成されている。
ここで、咬合部４２を嵌合状態とするためには、スライダ１０Ａの本体側面１１ｂ，１１ｃを把持してスライダ本体１１を内方に圧縮しつつ、スライダ１０Ａを切り欠き部１１ｅ側（図１中左）に移動させることで、幅狭部１１ｄが咬合部４２を挟持しながら移動することから嵌合状態となる。
【００２０】
一方、咬合部４２を嵌合解除状態とするためには、スライダ１０Ａの本体側面１１ｂ，１１ｃを把持しつつもスライダ本体１１に圧縮力を加えずに、スライダ１０Ａを幅狭部１１ｄ側（図１中右）に移動させることで実現できる。
これは、後述の係合状態にあるガイド条部２３及び被ガイド部１２ａと、ガイド条部３３及び被ガイド部１２ｂとの間の間隔が、スライダ本体１１を圧縮しない無負荷の状態では、咬合部４２の嵌合状態を解除可能に離間して形成されているためである。すなわち、無負荷の状態では、係合状態にあるガイド条部２３及び被ガイド部１２ａと、ガイド条部３３及び被ガイド部１２ｂが、咬合部４２をそれぞれ外方（図２中左右）に引っ張るように構成されているからである。
また、切り欠き部１１ｅは、嵌合解除に伴うスライダ１０Ａの移動に際して、ガイド条部２３等による咬合部４２の外方への引っ張りを促進させるように作用する。すなわち、切り欠き部１１ｅにおいては、雄側テープ２０Ａと雌側テープ３０Ｂが本体側面１１ｂ，１１ｃに拘束されないことから、咬合部４２の嵌合解除が促進されることになる。
【００２１】
このようなジッパーテープ４０Ａとスライダ１０Ａとの構成により、スライダ１０Ａの移動に応じて包装袋１００Ａの口部１１０を開閉させるという基本的な機能が発揮されることになる。
さらに、スライダ１０Ａとジッパーテープ４０Ａは、スライダ付き包装袋１００Ａへのスライダ１０Ａの装着性を向上させるために、以下のような特徴的な構成を有している。
【００２２】
具体的には、ジッパーテープ４０Ａは、テープ長手方向に沿ったスライダ１０Ａの移動を案内するガイド条部２３，３３を備え、スライダ１０Ａは、ガイド条部２３，３３に係合する被ガイド部１２ａ，１２ｂを備えている。
【００２３】
ガイド条部２３，３３は、鉤状断面形状として、例えば、先端部同士が対峙する一対の鉤状部からなる雌型（凹状）断面形状を有し、それぞれ雄側テープ２０Ａ及び雌側テープ３０Ａのテープ外側面２１ａ，３１ａに形成されている。
被ガイド部１２ａ，１２ｂは、鉤状断面形状として、例えば、膨出した先端部が鉤状部として機能する雄型（凸状）断面形状を有し、それぞれテープ外側面２１ａ，３１ａにそれぞれ対向する本体側面１１ｂ，１１ｃの内側に形成されている。
【００２４】
このように、ガイド条部２３，３３と被ガイド部１２ａ，１２ｂは、いずれか一方が雄部となるとともに他方が雌部となることにより、相互に引っ掛かり係合可能な鉤状断面形状としての雄雌断面形状を有している。
これにより、ガイド条部２３，３３と被ガイド部１２ａ，１２ｂとを係合（咬合）させることで、スライダ１０Ａをジッパーテープ４０Ａから脱落不能としながらガイド条部２３，３３に沿って移動させることができ、テープ長手方向に沿ったスライダ１０Ａの移動が実現されることになる。
特に、鉤状断面形状として雄雌断面形状を採用することにより、ガイド条部２３，３３（雌部）がテープ長手方向と垂直な方向（図中上下方向）への被ガイド部１２ａ，１２ｂの動きを規制するので、スライダ１０Ａのジッパーテープ４０Ａからの脱落を確実に防ぐことができる。
【００２５】
また、ガイド条部２３，３３（雌部）は、それぞれ一対の鉤状部の先端部同士が被ガイド部１２ａ，１２ｂ（雄部）の嵌入（直接対向する嵌入）に伴って復元可能に離間する可撓性を有している。
これにより、ガイド条部２３，３３の弾性変形を利用することで、ガイド条部２３，３３と被ガイド部１２ａ，１２ｂとを簡単に嵌め合わせることができる。
【００２６】
また、ガイド条部２３，３３は、咬合部４２とは別に設けられている。
このように咬合部４２とは別にガイド条部２３，３３を設けることにより、咬合部４２がスライダ１０Ａの移動を案内するための機能にかかわる必要性がなくなるため、咬合部４２の咬合状態がスライダ１０Ａ自体の存在によって妨げられることはない。これにより、包装袋１００Ａの口部１１０の密封性が確保されることになる。
特に、包装袋１００Ａは、フィルム１０１同士が融着されたシール部１１１を両端部に有するものの、一方の上端部（図１中の左端部）に、未シール領域４４を形成してある。この未シール領域４４は、スライダ１０Ａが未シール領域４４に達した状態、すなわち咬合部４２の嵌合状態において、被ガイド部１２ａ，１２ｂが収まる領域となっている。これにより、咬合部４２の嵌合状態において、係合状態にあるガイド条部２３及び被ガイド部１２ａと、ガイド条部３３及び被ガイド部１２ｂが、咬合部４２を外方に引っ張る力が緩和され、咬合部４２の咬合状態を担保することができる。
【００２７】
また、ジッパーテープ４０Ａへのスライダ１０Ａの装着は、ガイド条部２３，３３と被ガイド部１２ａ，１２ｂとを係合させる簡易な嵌め合い作業のみで実現される。
例えば、図１に示すように、スライダ１０Ａの脱落を防止するためにガイド条部２３，３３の端部を開放させずに、融着等によりガイド条部２３，３３の端部を押し潰した場合は、以下のような構成により、スライダ１０Ａをジッパーテープ４０Ａに装着することができる。
【００２８】
例えば、図２に示す断面図において、被ガイド部１２ａ，１２ｂの先端部同士の間隔を、ガイド条部２３，３３の先端部同士の間隔よりも広く形成するとともに、スライダ本体１１に圧縮力を加えると本体内側面１１ｂ，１１ｃの間隔が復元可能に縮小するようにスライダ１０Ａを形成する。
これにより、被ガイド部１２ａ，１２ｂとガイド条部２３，３３を対向させながら、スライダ本体１１を外側から圧縮することにより、物理的な形状の大小関係に逆らうことなく、被ガイド部１２ａ，１２ｂとガイド条部２３，３３を簡単に係合（咬合）させることができる。
【００２９】
また、ガイド条部２３，３３の端部を開放させた場合には、口部１１０内に係入可能に本体上面１１ａから垂下する係入片をスライダ１０Ａに設けることができる。
これにより、被ガイド部１２ａ，１２ｂがガイド条部２３，３３の端部まで移動しても、係入片が口部１１０内に止まることから、スライダ１０Ａの脱落が防止されることになる。
なお、係入片は、ジッパーテープ４０Ａへの装着時に妨げにならないような可撓性を有するものとする。
【００３０】
このようにジッパーテープ４０Ａへのスライダ１０Ａの装着は、ガイド条部２３，３３と被ガイド部１２ａ，１２ｂとを係合させる簡易な嵌め合い作業のみで実現されるので、製造効率を向上させることができる。
【００３１】
次に、図３を参照しながら、スライダ１０Ｂとジッパーテープ４０Ｂについて説明する。
スライダ１０Ｂとジッパーテープ４０Ｂは、スライダ１０Ａとジッパーテープ４０Ａの変形例であり、図３に示すように、ガイド条部２３，３３と被ガイド部１２ａ，１２ｂの形態が異なるものの、その他は同一の形態となっている。
そこで、以下の説明では、形態の異なるガイド条部２３，３３と被ガイド部１２ａ，１２ｂについて詳述する。
【００３２】
ジッパーテープ４０Ｂでは、ガイド条部２３，３３を、それぞれ雄側テープ２０Ｂ及び雌側テープ３０Ｂのテープ内側面２１ｂ，３１ｂに互いに対向するように形成してある。
また、スライダ１０Ｂでは、被ガイド部１２ａ，１２ｂを、本体上面１１ａより垂下する連結部１２ｃから本体側面１１ａ，１１ｂにそれぞれ向けて突出形成してある。
これにより、ガイド条部２３，３３と被ガイド部１２ａ，１２ｂとを係合（咬合）させることで、スライダ１０Ｂをジッパーテープ４０Ｂから脱落不能としながらガイド条部２３，３３に沿って移動させることができ、テープ長手方向に沿ったスライダ１０Ｂの移動が実現される。
【００３３】
また、ガイド条部２３，３３は、咬合部４２とは別に設けられているので、スライダ付き包装袋１００Ａと同様、口部１１０の密封性が確保されることになる。
このような構成において、ジッパーテープ４０Ｂへのスライダ１０Ｂの装着は、以下のように行うことができる。
【００３４】
例えば、図３示す断面図において、被ガイド部１２ａの先端と本体側面１１ｂとの間隔を、テープ基部２１の厚みにガイド条部２３の高さを加えた距離よりも広く形成するとともに、被ガイド部１２ｂの先端と本体側面１１ｃとの間隔を、テープ基部３１の厚みにガイド条部３３の高さを加えた距離よりも広く形成する。
さらに、スライダ本体１１に圧縮力を加えると本体側面１１ｂ，１１ｃの間隔が復元可能に縮小するようにスライダ１０Ｂを形成する。
これにより、被ガイド部１２ａ，１２ｂとガイド条部２３，３３をそれぞれ対向させながら、スライダ本体１１を外側から圧縮することにより、物理的な形状の大小関係に逆らうことなく、被ガイド部１２ａ，１２ｂとガイド条部２３，３３を簡単に咬合させることができ、ジッパーテープ４０Ｂへのスライダ１０Ｂの装着性を向上させることができる。
なお、被ガイド部１２ａ，１２ｂ（連結部１２ｃ）は口部１１０内に位置することから、スライダ１０Ｂのテープ長手方向両端部からの脱落が防止されることになる。
【００３５】
以上説明したように、本実施形態のスライダ１０Ａ，１０Ｂと、これらを口部１１０に取り付けた包装袋１００Ａ，１００Ｂによれば、簡易な嵌め合い作業のみでスライダ１０をジッパーテープ４０に装着できるだけでなく、咬合部４２とは別にガイド条部２３，３３を設けることで、咬合状態におけるジッパーテープ４０の密封性を確保することができる。
【００３６】
なお、スライダ１０（１０Ａ，１０Ｂ）は、可撓性を有する材質であれば、特に制限されることなく公知の樹脂材料を使用することができ、例えば、ポリアミド（ナイロン系）樹脂、ポリプロピレン系樹脂、ＡＢＳ系樹脂等の樹脂材料を適宜使用することができる。
また、スライダ１０（１０Ａ，１０Ｂ）の外形は、外側からの圧縮力に対して弾性変形しやすいように、本体上面１１ａと本体側面１１ｂ，１１ｃとの間にエッジを有しないとともに、外側にもエッジを有しない略Ｕ字状（円弧状）の断面形状が好ましい。
【００３７】
また、ジッパーテープ４０（４０Ａ，４０Ｂ）は、ガイド条部２３，３３の可撓性、係合性能、袋本体を構成するフィルム１０１への融着性を考慮して、低密度ポリエチエン（ＬＤＰＥ）系樹脂、ポリプロピレン系樹脂、エチレン−α・オレフィン共重合体樹脂、エチレン−アクリル酸共重合体樹脂等を適宜使用することができる。
【００３８】
また、包装袋１００（１００Ａ，１００Ｂ）の本体は、熱可塑性樹脂からなる１枚のフィルム１０１を半折りにして袋状に形成したものや、熱可塑性樹脂からなる２枚のフィルム１０１を重ね合わせたものを袋状に加工したもの等を好適に使用することができる。熱可塑性樹脂としては、特に制限はないが、フィルム成形を容易に実施することができる等の理由により、ポリエチレン系樹脂、ポリプロピレン系樹脂等のポリオレフィン系樹脂を使用することができる。
【００３９】
以上、本発明について、実施形態を示して説明したが、本発明は、上述した実施形態にのみ限定されるものではなく、特許請求の範囲内で種々の変更が可能であることはいうまでもない。
【００４０】
例えば、本実施形態では、ガイド条部２３，３３を雄側テープ２０Ａ、雌側テープ３０Ａのそれぞれに形成し、二つの被ガイド部１２ａ，１２ｂを形成したが、いずれか一方のガイド条部及び被ガイド部のみでもよい。
また、ガイド条部を雌型断面形状とし、被ガイド部を雄型断面形状としたが、雄雌形状を入れ替えて、ガイド条部を雄型断面形状とし、被ガイド部を雌型断面形状とすることもできる。
また、ガイド条部２３，３３のうちの一方を雌型断面形状とするとともに他方を雄型断面形状とし、これに対応させるべく、被ガイド部１２ａ，１２ｂのうちの一方を雄型断面形状とするとともに他方を雌型断面形状とすることもできる。
【００４１】
また、上記の実施形態では、相互に引っ掛かり係合可能な鉤状断面形状として、雄雌断面形状を採用したが、鉤状断面形状は雄雌断面形状に限らず、例えば、釣り針形状、フック形状などの相互に引っ掛かり係合可能な鉤形状を有していれば足りる。
また、スライダ１０（１０Ａ，１０Ｂ）は、咬合部４２を咬合解除状態とするために、テープ内側面２１ｂ，３１ｂの間に割り込み可能に本体上面１１ａから垂下する垂下部を備えることもできる。
【産業上の利用可能性】
【００４２】
本発明は、ジッパーテープの長手方向に沿って移動させることにより咬合部の咬合及び咬合解除を行うスライダ、このスライダが装着されるスライダ用ジッパーテープ、スライダ付き包装袋に広く利用することができる。
【符号の説明】
【００４３】
１０  （１０Ａ，１０Ｂ）スライダ
１１ａ  スライダ上面
１１ｂ，１１ｃ  スライダ側面（対向面）
１１ｄ  幅狭部（対向面）
１１ｅ  切り欠き部
１２  （１２ａ，１２ｂ）被ガイド部
４０  （４０Ａ，４０Ｂ）ジッパーテープ
２１ａ，３１ａ  テープ外側面
２３，３３  ガイド条部
１００  （１００Ａ，１００Ｂ）包装袋
１１０  口部
【図１】
2013146462.tif 000003
【図２】
2013146462.tif 000004
【図３】
2013146462.tif 000005
【図４】
2013146462.tif 000006